(57)【要約】【課題】盤内通信線の本数を削減し、コスト低減を図ったスイッチギヤの通信システムを提供する。【解決手段】電気機器を収納した箱体１ａ、１ｂ、１ｃと、箱体１ａ、１ｂ、１ｃに設けられるとともに、保護リレーに接続された複数の通信機器２ａ１、２ａ２、２ｂ１、２ｂ２、２ｃ１、２ｃ２と、複数の通信機器８ａ１、８ａ２、８ｂ１、８ｂ２、８ｃ１、８ｃ２内にそれぞれ設けられるとともに、これらから電源供給を受ける複数のＨＵＢ８ａ１、８ａ２、８ｂ１、８ｂ２、８ｃ１、８ｃ２と、複数のＨＵＢ間を接続する盤内通信線９ａ１、９ｂ１、９ｃ１と、複数のＨＵＢのうち終端ＨＵＢ８ｃ２とスイッチギヤを監視制御する遠方監視装置７とを接続する盤外通信線６とを具備したことを特徴とする。【選択図】図１
2009260830.tif 000002
【特許請求の範囲】
【請求項１】
電気機器を収納した箱体と、
前記箱体に設けられるとともに、保護リレーに接続された複数の通信機器と、
前記複数の通信機器内にそれぞれ設けられるとともに、この通信機器から電源供給を受ける複数のＨＵＢと、
前記複数のＨＵＢ間を接続する盤内通信線と、
前記複数のＨＵＢのうち終端ＨＵＢとスイッチギヤを監視制御する遠方監視装置とを接続する盤外通信線とを
具備したことを特徴とするスイッチギヤ通信システム。
【請求項２】
前記箱体が列盤されていることを特徴とする請求項１に記載のスイッチギヤ通信システム。
【請求項３】
前記通信機器は、ＩＥＥＥ通信規格の１００ＢＡＳＥ−ＦＸ、１００ＢＡＳＥ−ＴＸ、１０ＢＡＳＥ−Ｔ、１０ＢＡＳＥ−ＦＬのいずれにも対応することを特徴とする請求項１または請求項２に記載のスイッチギヤ通信システム。
【発明の詳細な説明】
【技術分野】
【０００１】
本発明は、インターネット技術を応用してスイッチギヤの電気量などを監視制御するスイッチギヤ通信システムに関する。
【背景技術】
【０００２】
従来、スイッチギヤの電気量などを監視制御する通信システムにおいては、インターネット技術を応用したものが知られている。通信システムを構築する場合、ノイズ環境などに基づき、ＩＥＥＥ通信規格（ＩＥＥＥ８０２）から最良な通信トポロジーとして、１００ＢＡＳＥ−ＦＸに準拠することになる。これに準拠すると、集線装置（ＨＵＢ）と通信機器とが一対で用いられる（例えば、特許文献１参照。）。
【０００３】
スイッチギヤに集線装置を設ける場合、図２に示すように、それぞれの箱体１ａ、１ｂ、１ｃには、保護リレーに接続された２組毎の通信機器２ａ１、２ａ２、２ｂ１、２ｂ２、２ｃ１、２ｃ２がそれぞれ設けられている。それぞれの通信機器２ａ１、２ａ２、２ｂ１、２ｂ２、２ｃ１、２ｃ２は、盤内通信線３ａ、３ｂ、３ｃでＨＵＢ４に接続される。ＨＵＢ４には、電源システム５から電源供給を受けている。ＨＵＢ４からは、盤外通信線６で箱体１ａ、１ｂ、１ｃ外に設けられた遠方監視装置７へ接続され、スイッチギヤの監視制御が行われる。
【０００４】
しかしながら、箱体１ａ−１ｂ間では盤内通信線３ａが２本となり、箱体１ｂ−１ｃ間では盤内通信線３ａ、３ｂが４本となる。このため、ＨＵＢ４を設けた箱体１ｃでは、盤内通信線３ａ、３ｂ、３ｃが６本となり集中する。このため、盤内通信線３ａ、３ｂ、３ｃを配線するスペースを確保しなければならない問題があった。
【０００５】
集線装置を各箱体１ａ１ｂ、１ｃに分散させる場合には、図３に示すように、箱体１ａ−１ｂ間、および箱体１ｂ−１ｃ間を渡る盤内通信線３ａ、３ｂの本数を削減できるものの、それぞれのＨＵＢ４ａ、４ｂ、４ｃにそれぞれ電源システム５ａ、５ｂ、５ｃを設けなければならず、コストが増大する問題があった。特に、１００ＢＡＳＥ−ＦＸ対応のＨＵＢ４ａ、４ｂ、４ｃと電源システム５ａ、５ｂ、５ｃは、高価なものであり、通信システムのコスト上昇につながっていた。
【特許文献１】特開２００１−３２５１５７号公報  （第４ページ、図１）
【発明の開示】
【発明が解決しようとする課題】
【０００６】
上記の従来のスイッチギヤ通信システムにおいては、スイッチギヤにＨＵＢ４を単独で設ける場合、盤内通信線３ａ、３ｂ、３ｃの本数が列盤数に比例して増加し、配線するスペースの確保が必要であった。また、電源システム５ａ、５ｂ、５ｃを接続したＨＵＢ４ａ、４ｂ、４ｃを各箱体１ａ、１ｂ、１ｃに分散させる場合、通信システムのコスト上昇につながっていた。
【０００７】
本発明は上記問題を解決するためになされたもので、盤内通信線の本数を削減し、コスト低減を図り得るスイッチギヤの通信システムを提供することを目的とする。
【課題を解決するための手段】
【０００８】
上記目的を達成するために、本発明のスイッチギヤ通信システムは、電気機器を収納した箱体と、前記箱体に設けられるとともに、保護リレーに接続された複数の通信機器と、前記複数の通信機器内にそれぞれ設けられるとともに、この通信機器から電源供給を受ける複数のＨＵＢと、前記複数のＨＵＢ間を接続する盤内通信線と、前記複数のＨＵＢのうち終端ＨＵＢとスイッチギヤを監視制御する遠方監視装置とを接続する盤外通信線とを具備したことを特徴とする。
【発明の効果】
【０００９】
本発明によれば、箱体に設けられた複数の通信機器内に電源供給を受けたＨＵＢをそれぞれ設け、これらのＨＵＢ間を盤内通信線で接続し、終端のＨＵＢを盤外通信線で接続しているので、配線のスペースが低減でき、コストを低減することができる。
【発明を実施するための最良の形態】
【００１０】
以下、図面を参照して本発明の実施例を説明する。
【実施例】
【００１１】
本発明の実施例に係るスイッチギヤ通信システムを図１を参照して説明する。図１は、本発明の実施例に係るスイッチギヤ通信システムの構成を示す図である。なお、図１において、従来と同様の構成部分については、同一符号を付した。
【００１２】
図１に示すように、遮断器などの電気機器を収納し列盤された箱体１ａ、１ｂ、１ｃには、電気量などを計測する保護リレーに接続された２組毎の通信機器２ａ１、２ａ２、２ｂ１、２ｂ２、２ｃ１、２ｃ２が設けられている。通信機器２ａ１、２ａ２、２ｂ１、２ｂ２、２ｃ１、２ｃ２内には、これらからそれぞれ電源供給を受けたＨＵＢ８ａ１、８ａ２、８ｂ１、８ｂ２、８ｃ１、８ｃ２が設けられている。
【００１３】
それぞれの箱体１ａ、１ｂ、１ｃのＨＵＢ８ａ１−８ａ２間、８ｂ１−８ｂ２間、ＨＵＢ８ｃ１−８ｃ２間は、それぞれ盤内通信線９ａ１、９ｂ１、９ｃ１で接続されている。そして、ＨＵＢ８ａ２とＨＵＢ８ｂ１間は、箱体１ａ−１ｂ間を渡る盤内通信線９ａ２で接続されている。ＨＵＢ８ｂ２とＨＵＢ８ｃ１間は、箱体１ｂ−１ｃ間を渡る盤内通信線９ｂ２で接続されている。終端となるＨＵＢ８ｃ２は、盤外通信線６により箱体１ａ、１ｂ、１ｃ外に設けられた遠方監視装置７へ接続され、スイッチギヤの監視制御が行われる。
【００１４】
これにより、箱体１ａ、１ｂ、１ｃに設置された通信機器２ａ１、２ａ２、２ｂ１、２ｂ２、２ｃ１、２ｃ２は、ＨＵＢ８ａ１、８ａ２、８ｂ１、８ｂ２、８ｃ１、８ｃ２に一対で接続され、確実に通信を行うことができる。そして箱体１ａ−１ｂ間および箱体１ｂ−１ｃ間は、１本の盤内通信線９ａ２および９ｂ２で接続されるので、盤間の本数を削減することができ、配線のスペースを確保する必要がなくなる。また、通信機器２ａ１、２ａ２、２ｂ１、２ｂ２、２ｃ１、２ｃ２内にそれぞれＨＵＢ８ａ１、８ａ２、８ｂ１、８ｂ２、８ｃ１、８ｃ２を設け、電源の供給を受けているので、従来のような電源システムが不要となり、コストを低減することができる。
【００１５】
上記実施例のスイッチギヤ通信システムによれば、通信機器２ａ１、２ａ２、２ｂ１、２ｂ２、２ｃ１、２ｃ２内のそれぞれに電源供給を受けたＨＵＢ８ａ１、８ａ２、８ｂ１、８ｂ２、８ｃ１、８ｃ２を設け、箱体１ａ−１ｂ間および箱体１ｂ−１ｃ間を１本の盤内通信線９ａ２および９ｂ２で接続し、終端となるＨＵＢ８ｃ２と遠方監視装置７とを外部通信線６で接続しているので、配線のスペースが低減でき、コストを低減することができる。
【００１６】
上記実施例では、通信トポロジーとして１００ＢＡＳＥ−ＦＸについて述べたが、ＩＥＥＥ通信規格に定義されている１０ＢＡＳＥ−Ｔ、１００ＢＡＳＲＥ−ＴＸ、１０ＢＡＳＥ−ＦＬについても適用することができる。
【００１７】
また、列盤された複数の箱体１ａ、１ｂ、１ｃについて説明したが、例えば箱体１ａのみの単独盤においても、ＨＵＢ８ａ１−８ａ２間を盤内通信線９ａ１で接続し、盤外通信線６を終端となるＨＵＢ８ａ１または８ａ２に接続して適用することができる。
【図面の簡単な説明】
【００１８】
【図１】本発明の実施例に係るスイッチギヤ通信システムの構成を示す図。
【図２】従来のスイッチギヤ通信システムの構成を示す図。
【図３】従来のスイッチギヤ通信システムの構成を示す図。
【符号の説明】
【００１９】
１ａ、１ｂ、１ｃ  箱体
２ａ１、２ａ２、２ｂ１、２ｂ２、２ｃ１、２ｃ２  通信機器
３ａ、３ｂ、３ｃ、９ａ１、９ａ２、９ｂ１、９ｂ２、９ｃ１  盤内通信線
４、４ａ、４ｂ、４ｃ、８ａ１、８ａ２、８ｂ１、８ｂ２、８ｃ１、８ｃ２  ＨＵＢ
５、５ａ、５ｂ、５ｃ  電源システム
６  盤外通信線
７  遠方監視装置
【図１】
2009260830.tif 000003
【図２】
2009260830.tif 000004
【図３】
2009260830.tif 000005